(57)【要約】【課題】  本発明は、簡単な作業工程で構築することができる新規なロープ端末構造、及び、このロープ端末構造に用いられるロープ端末金具を提供することを目的とする。【解決手段】  所望の先端形状となされた金具先端部分２と、中空円筒状となされた金具後端部分３と、金属芯４と、を具備してなるロープ端末金具１を用い、前記金属芯４をロープＲの端末部の中心に挿入し、前記金具後端部分３を前記ロープＲの端末部に外嵌させ、前記金属芯４を前記金具先端部分２に固定させた状態で、前記金具後端部分３を前記ロープの端末部に加締めることによって、前記ロープＲの端末部に前記ロープ端末金具１を取り付ける。【選択図】図１
2018028155.tif 000002
【特許請求の範囲】
【請求項１】
ロープの端末部にロープ端末金具が取り付けられてなるロープ端末構造であって、
前記ロープ端末金具が、
所望の先端形状となされた金具先端部分と、
中空円筒状となされた金具後端部分と、
金属芯と、
を具備してなり、
前記金属芯が前記ロープの端末部の中心に挿入され、前記金具後端部分が前記ロープの端末部に外嵌され、前記金属芯が前記金具先端部分に固定された状態で、前記金具後端部分が前記ロープの端末部に加締められてなることを特徴とするロープ端末構造。
【請求項２】
請求項１に記載のロープ端末構造において、
前記金属芯の周壁に複数条の螺旋溝が設けられてなり、
前記ロープ端部を構成するストランドが前記螺旋溝に沿わされてなるロープ端末構造。
【請求項３】
請求項１又は２に記載のロープ端末構造に用いられるロープ端末金具であって、
前記金具先端部分と前記金具後端部分とが一体化された金具本体と、
前記金属芯と、
を具備してなり、
前記金具本体における前記金具後端部分の底壁をなす部分に雌ネジ部が設けられ、且つ、前記金属芯の一端に、前記雌ネジ部に螺合し得る雄ネジ部が設けられてなることを特徴とするロープ端末金具。
【請求項４】
請求項１又は２に記載のロープ端末構造に用いられるロープ端末金具であって、
前記金具先端部分と前記金属芯とが一体化された金具本体と、
前記金具後端部分と、
を具備してなることを特徴とするロープ端末金具。
【発明の詳細な説明】
【技術分野】
【０００１】
本発明は、ロープの端末部にロープ端末金具が取り付けられたロープ端末構造、及びこのロープ端末構造に用いられるロープ端末金具に関する。
【背景技術】
【０００２】
従来、ロープの端末加工には、例えば、アイスプライスやシングルロックなどの各種のロープ端末構造が存在するが、「ソケット止め（合金止め）」と称されるロープ端末構造が最も効率が高いとされている。
【０００３】
図６に、ソケット（筒形ソケット）ＣＳを用いた従来のソケット止めの工程を示す。従来のソケット止めでは、まず、ロープＲの端末部を構成するストランドＳの撚りを解き、前記ロープＲの中心に存する心綱（麻芯）ＣＳを切り取る（図６（ａ）参照）。その後、撚りが解かれた前記ストランドＳを素線Ｗにばらし（図６（ｂ）参照）、ばらされた素線Ｗの撚り癖を一本ずつ伸ばす（図６（ｃ）参照）。
【０００４】
次いで、撚り癖が伸ばされた素線Ｗの各々を束ね、所定個所に鉄線Ｘを巻き付けることによってシージングを施す（図６（ｄ）参照）。シージングが施された前記ロープＲは、端末部分を先頭にして前記ソケットＣＳ内に挿入される（図６（ｅ）参照）。
【０００５】
最後に、前記ソケットＣＳ内に、溶融金属や樹脂などの鋳込み材Ｍが充填される（図６（ｆ）参照）。前記鋳込み材Ｍが固化すれば、前記ロープＲの端末に前記ソケットＣＳが取り付けられたロープ端末構造（ソケット付ロープ）が構築される。
【０００６】
即ち、従来のソケット止めは、多くの工程を経て構築されるため、完成までに相当の時間を要していた。最近では、実施容易な繊維ロープの端末締結方法が提案されているが（例えば、下記特許文献１、２参照。）、いずれの方法も、最も煩雑な工程といえる「ばらした素線の撚り癖を一本ずつ伸ばす工程」が必要となっている。
【先行技術文献】
【非特許文献】
【０００７】
【特許文献１】特開２００７‐１９１８０２号公報
【特許文献２】特開２００７‐１１９７９８号公報
【発明の概要】
【発明が解決しようとする課題】
【０００８】
本発明は前記技術的課題に鑑みて開発されたものであり、簡単な作業工程で構築することができる新規なロープ端末構造、及び、このロープ端末構造に用いられるロープ端末金具を提供することを目的とする。
【課題を解決するための手段】
【０００９】
前記技術的課題を解決する本発明のロープ端末構造は、ロープの端末部にロープ端末金具が取り付けられてなるものであって、前記ロープ端末金具が、所望の先端形状となされた金具先端部分と、中空円筒状となされた金具後端部分と、金属芯と、を具備してなり、前記金属芯が前記ロープの端末部の中心に挿入され、前記金具後端部分が前記ロープの端末部に外嵌され、前記金属芯が前記金具先端部分に固定された状態で、前記金具後端部分が前記ロープの端末部に加締められてなることを特徴とする（以下、「本発明端末構造」と称する。）。
【００１０】
本発明端末構造においては、前記金属芯の周壁に複数条の螺旋溝が設けられてなり、前記ロープ端部を構成するストランドが前記螺旋溝に沿わされてなるものが好ましい態様となる。
【００１１】
前記技術的課題を解決する本発明第一のロープ端末金具は、前記本発明端末構造に用いられるものであって、前記金具先端部分と前記金具後端部分とが一体化された金具本体と、前記金属芯と、を具備してなり、前記金具本体における前記金具後端部分の底壁をなす部分に雌ネジ部が設けられ、且つ、前記金属芯の一端に、前記雌ネジ部に螺合し得る雄ネジ部が設けられてなることを特徴とする。
【００１２】
前記技術的課題を解決する本発明第二のロープ端末金具は、前記本発明端末構造に用いられるものであって、前記金具先端部分と前記金属芯とが一体化された金具本体と、前記金具後端部分と、を具備してなることを特徴とする。
【００１３】
以下、本発明第一のロープ端末金具を「本発明第一金具」と称し、本発明第二のロープ端末金具を「本発明第二金具」と称する。又、本発明第一金具と本発明第二金具を「本発明金具」と総称する。
【発明の効果】
【００１４】
本発明によれば、ロープの端末加工が容易になる。
【図面の簡単な説明】
【００１５】
【図１】図１（ａ）、（ｂ）は、実施形態１に係る本発明金具（本発明第一金具）を示す斜視図と断面図である。
【図２】図２（ａ）〜（ｄ）は、前記本発明金具を用いて本発明端末構造を構築する工程を示す概略図である。
【図３】図３（ａ）、（ｂ）は、螺旋溝が設けられた金属芯を示す正面図と断面図であり、図３（ｃ）は、前記金属芯を用いて構築された本発明端末構造を示す断面図である。
【図４】図４（ａ）、（ｂ）は、実施形態２に係る本発明金具（本発明第二金具）を示す斜視図と断面図である。
【図５】図５（ａ）〜（ｄ）は、前記本発明金具を用いて本発明端末構造を構築する工程を示す概略図である。
【図６】図６（ａ）〜（ｆ）は、従来のソケット止の工程を示す断面図である。
【発明を実施するための形態】
【００１６】
以下、本発明を実施するための形態（実施形態）を図面に基づいて説明するが、本発明はこの実施形態に限定されるものではない。
【００１７】
［実施形態１］
＜本発明金具（本発明第一金具）１＞
図１に、実施形態１に係る本発明金具１を示す。前記本発明金具１は、金具先端部分２と、金具後端部分３と、金属芯４と、を具備する。なお、本実施形態に係る本発明金具１は、前記金具先端部分２と前記金具後端部分３とが一体化された金具本体５と、前記金属芯４と、を具備してなる本発明第一金具である。
【００１８】
‐金具本体５‐
前記金具本体５は、鉄やアルミニウムなどの金属製素材からなる。本実施形態において、前記金具本体５は、前記金具先端部分２と前記金具後端部分３とが一体的に成形されたものである。
【００１９】
本発明において、前記金具先端部分２は所望の先端形状となされる。本実施形態においては、前記金具先端部分２につき、「開放形（Ｏ形）」と称される先端形状となされているが、前記金具先端部分２は、例えば、「閉鎖形（Ｃ形）」と称される先端形状であっても、その他の形状であっても良い。即ち、本発明において、前記金具先端部分２の形状は特に限定されない。
【００２０】
一方、本発明において、前記金具後端部分３は中空円筒状となされる。
又、前記金具本体５における前記金具後端部分３の底壁をなす部分５０には、雌ネジ部５１が設けられている。
【００２１】
‐金属芯４‐
本発明において、前記金属芯４は、鉄やアルミニウムなどの金属製素材からなる棒状体であり、一端に前記雌ネジ部５１と螺合し得る雄ネジ部４１が設けられている。以下、説明の便宜上、前記金属芯４における前記雄ネジ部４１以外の部分を「芯本体部（４２）」と称する。前記芯本体部４２の長さは、前記金具後端部分３の深さとほぼ同じ長さ（±１０％）とすることが好ましい。
【００２２】
前記構成を有する本発明金具１は、前記金具本体５の前記雌ネジ部５１に前記金属芯４の前記雄ネジ部４１を螺合させれば、前記金属芯４が前記金具後端部分３の仮想中心軸に沿って固定される（図１（ｂ）参照）。
【００２３】
＜本発明端末構造１０＞
図２に、前記本発明金具１を用いて本発明端末構造１０を構築する工程を示す。前記本発明端末構造１０を構築するにあたっては、心綱除去工程と、金属芯挿入工程と、連結工程と、加締め工程と、を実行する。なお、前記本発明端末構造１０は、前記本発明金具１がロープＲの端末部に取り付けられたものであり、前記本発明端末構造１０を構築するにあたり、前記ロープＲの外径に適した内径の金具後端部分３を有する本発明金具１が適宜選択される。
【００２４】
‐心綱除去工程‐
前記心綱除去工程では、前記ロープＲの端末部に存する心綱Ｃを取り除く（図２（ａ）参照）。前記心綱Ｃを取り除くにあたっては、まず、前記ロープＲの端末部を構成するストランドＳをばらし、中心に存する前記心綱Ｃを露出させたうえで切断する。除去される前記心綱Ｃの長さは、前記金属芯４の前記芯本体部４２の長さと同じ長さとする。
【００２５】
‐金属芯挿入工程‐
前記金属芯挿入工程では、前記ロープＲの端末部における前記心綱Ｃが取り除かれた部分に前記金属芯４を挿入する（図２（ｂ）参照）。前記金属芯４の挿入は、前記芯本体部４２を先頭にして行われる。前記心綱除去工程において、前記心綱Ｃが前記芯本体部４２の長さと同じ長さにて除去されているため、前記金属芯４の前記雄ネジ部４１は、前記ロープＲの末端から突出した状態となる。
【００２６】
‐連結工程‐
前記連結工程では、前記金具後端部分３を前記ロープＲの端末部に外嵌させ、前記雌ネジ部５１と前記雄ネジ部４１とを螺合させる（図２（ｃ）参照）。前記金具後端部分３を前記ロープＲの端末部に外嵌させると、前記ロープＲの端末部に挿入されている前記金属芯４の雄ネジ部４１が、前記雌ネジ部５１の開口端に当接する。この状態で、前記金具本体５を回転させれば、前記雌ネジ部５１と前記雄ネジ部４１とが螺合し、前記金具本体５と前記金属芯４とが連結される。
【００２７】
‐加締め工程‐
前記加締め工程では、前記ロープＲの端末部に外嵌させた前記金具後端部分３を加締める（図２（ｄ）参照）。加締めは、プレス機などを用いて、前記金具後端部分３の周囲から圧力Ｆを加えることによって行われる。前記加締め工程の実行により、前記金具後端部分３が前記ロープＲの端末部に圧着し、前記本発明金具１が、前記ロープＲの端末部に取り付けられた本発明端末構造１０が構築される。
【００２８】
前記工程を経て構築される本発明端末構造１０は、前記ロープＲの端末部を構成するストランドＳが、前記ロープＲの端末部の中心に配された前記金属芯４と前記金具後端部分３によって挟持された状態となるため、高い効率を発現する。
【００２９】
又、本発明端末構造１０を構築するにあたっては、前記ストランドＳを構成する素線Ｗを伸ばす必要が無いため、作業時間が比較的短時間となる。
【００３０】
なお、本実施形態においては、前記金属芯４として、一端に雄ネジ部４１が設けられてなる棒状体を用いたが、前記金属芯４としては、図３（ａ）、（ｂ）に示すように、周壁（芯本体部４２の周壁）に複数条の螺旋溝４３が設けられた構造のものを用いるのが好ましい。
【００３１】
この螺旋溝４３は断面視円弧状の溝であり、その螺旋ピッチは、前記ロープＲを構成するストランドＳの螺旋ピッチと同じとなされる。そして、前記金属芯４を用いて本発明端末構造１０を構築すると、図３（ｃ）に示すように、前記金属芯４に設けられた螺旋溝４３に、前記ロープＲを構成するストランドＳが沿うため、より一層高い効率が発現する。
【００３２】
［実施形態２］
＜本発明金具（本発明第二金具）１＞
図４に、実施形態２に係る本発明金具１を示す。前記本発明金具１は、金具先端部分２と、金具後端部分３と、金属芯４と、を具備する。なお、本実施形態に係る本発明金具１は、前記金具先端部分２と前記金属芯４とが一体化された金具本体５と、前記金具後端部分３と、を具備してなる本発明第二金具である。
【００３３】
‐金具本体５‐
前記金具本体５は、鉄やアルミニウムなどの金属製素材からなる。本実施形態において、前記金具本体５は、前記金具先端部分２と前記金属芯４とが一体的に成形されたものである。
【００３４】
‐金具後端部分３‐
前記金具後端部分３は、鉄やアルミニウムなどの金属製素材からなる中空円筒体である。
【００３５】
＜本発明端末構造１０＞
図５に、前記本発明金具１を用いて本発明端末構造１０を構築する工程を示す。前記本発明端末構造１０を構築するにあたっては、金具後端部外嵌工程と、心綱除去工程と、金属芯挿入工程と、加締め工程と、を実行する。
【００３６】
‐金具後端部外嵌工程‐
前記金具後端部外嵌工程では、前記金具後端部分３を前記ロープＲの端末部に外嵌させる（図５（ａ）参照）。
【００３７】
‐心綱除去工程‐
前記心綱除去工程では、前記実  施形態１と同様にして、前記ロープＲの端末部に存する心綱Ｃを取り除く（図５（ｂ）参照）。除去される前記心綱Ｃの長さは、前記金属芯４の長さと同じ長さとする。
【００３８】
‐金属芯挿入工程‐
前記金属芯挿入工程では、前記ロープＲの端末部における前記心綱Ｃが取り除かれた部分に前記金属芯４を挿入する（図５（ｃ）参照）。前記金属芯４の挿入は、前記金属芯４と一体化された前記金具先端部分２が、前記ロープＲの端末に接触するまで行われる。
【００３９】
‐加締め工程‐
前記加締め工程では、前記金具後端部分３を加締める（図５（ｄ）参照）。前記加締め工程の実行により、前記本発明金具１が、前記ロープＲの端末部に取り付けられた本発明端末構造１０が構築される。なお、前記加締め工程の後、前記金具本体５と前記金具後端部分３とを溶接により連結することが好ましい。
【００４０】
その余は、前記実施形態１において説明した事項と同じため、繰り返しを避けるべくここでは説明を省略する。
【００４１】
なお、本発明は、その精神又は主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。更に、特許請求の範囲の均等範囲に属する変形や変更は、全て本発明の範囲内のものである。
【産業上の利用可能性】
【００４２】
本発明は、ロープ端末加工の分野において好適に利用される。
【符号の説明】
【００４３】
１  本発明金具（ロープ端末金具）
２  金具先端部分
３  金具後端部分
４  金属芯
４１  雄ネジ部
４２  芯本体部
４３  螺旋溝
５  金具本体
５１  雌ネジ部
１０  本発明端末構造
Ｒ  ロープ
Ｃ  心綱
Ｓ  ストランド
【図１】
2018028155.tif 000003
【図２】
2018028155.tif 000004
【図３】
2018028155.tif 000005
【図４】
2018028155.tif 000006
【図５】
2018028155.tif 000007
【図６】
2018028155.tif 000008